(57)【要約】【課題】製造の容易性及び低製造コストが実現でき、かつ、使用者が洗剤の供給状態を目視できるようにする洗剤供給装置を備えたドラム洗濯機を提供する。【解決手段】開口を有する本体と、本体の開口を開閉し、使用者の本体内部の透視を可能にする透視部材を有するドアと、ドアの透視部材に形成された洗剤収容部と、を備えるドラム洗濯機を提供する。【選択図】図１
2007029708.tif 000002
【特許請求の範囲】
【請求項１】
開口を有する本体と、
前記本体の開口を開閉し、前記本体内部を目視できるようにする透視部材を備えたドアと、
前記ドアの透視部材に形成された洗剤収容部と、
を備えることを特徴とする、ドラム洗濯機。
【請求項２】
前記透視部材と前記洗剤収容部が一体に形成されたことを特徴とする、請求項１に記載のドラム洗濯機。
【請求項３】
前記本体内部に設置され、洗濯水を収容する水槽と、
前記水槽の内部に設置され、洗濯物を収容する回転ドラムと、
前記洗剤収容部に洗濯水を供給する給水装置と、をさらに備え、
前記洗剤収容部は、その内部に供給された洗濯水を前記回転ドラム内に導く出口を有することを特徴とする、請求項１に記載のドラム洗濯機。
【請求項４】
前記洗剤収容部は、上部が開放されたことを特徴とする、請求項３に記載のドラム洗濯機。
【請求項５】
前記出口側に流れる洗濯水の排出を遅らせるように前記洗剤収容部内に設けられた流れ遅延突起をさらに備えることを特徴とする、請求項３に記載のドラム洗濯機。
【請求項６】
前記洗剤収容部の出口に設けられたこし網をさらに備えることを特徴とする、請求項３に記載のドラム洗濯機。
【請求項７】
前記こし網が着脱自在に装着されたことを特徴とする、請求項６に記載のドラム洗濯機。
【請求項８】
本体の開口を開閉するドアの内側面に洗剤収容部が備えられたことを特徴とする、ドラム洗濯機。
【請求項９】
ドラム洗濯機を開閉するドアを備え；
前記ドアは、
使用者が前記ドラム洗濯機の内部を目視できるようにする透視部材と、
内部に洗剤が収容され、前記透視部材に形成されることによって、該透視部材を通じて使用者が洗剤の前記ドラム洗濯機への供給を目視できるようにする洗剤収容部と、を備えることを特徴とする、ドラム洗濯機。
【請求項１０】
洗濯水を前記洗剤収容部に直接供給する給水装置をさらに備え、
前記洗剤収容部は、その内部に供給された洗濯水をドラム洗濯機の内部に導く出口を備えることを特徴とする請求項９に記載のドラム洗濯機。
【請求項１１】
前記透視部材と洗剤収容部とが一体に組み合わせられていることを特徴とする請求項９に記載のドラム洗濯機。
【請求項１２】
前記透視部材は、アクリル樹脂を押出成形することによって製造されることを特徴とする請求項９に記載のドラム洗濯機。
【請求項１３】
前記洗剤収容部内に設けられた出口への洗濯水の流れを遅らせる流れ遅延突起をさらに備えることを特徴とする請求項１０に記載のドラム洗濯機。
【請求項１４】
前記出口に着脱自在に設けられ、前記洗剤収容部内の洗剤をろ過するこし網をさらに備えることを特徴とする請求項１３に記載のドラム洗濯機。
【発明の詳細な説明】
【技術分野】
【０００１】
本発明は、ドラム洗濯機に係り、より詳細には、洗剤供給装置を有し、洗剤の投入状態を使用者が目視できるようにしたドラム洗濯機に関する。
【背景技術】
【０００２】
従来、洗濯水を供給する過程で洗剤を溶解させ投入できるようにする洗剤供給装置を備えたドラム洗濯機が開示されたことがある（例えば、特許文献１）。
【０００３】
このドラム洗濯機の洗剤供給装置は、洗剤収容部を有する洗剤容器と、本体の側方上部に取り付けられた洗剤容器ハウジングと、を備えている。洗剤容器ハウジングには、洗剤容器ハウジング側に洗濯水が供給されるようにする給水配管、及び洗剤容器ハウジングを通過した洗濯水を水槽に導く連結管が連結されている。
【０００４】
このような従来のドラム洗濯機は、給水される洗濯水が洗剤供給装置を経て水槽に供給されるようにすることによって、洗剤供給装置に投入されている洗剤が、給水される洗濯水中に溶解されて水槽に供給されるようにしたものである。
【特許文献１】大韓民国公開特許公報２００３−９８４７号(公開日：２００３年２月５日)
【発明の開示】
【発明が解決しようとする課題】
【０００５】
しかしながら、上記の従来ドラム洗濯機は、洗剤供給装置の構成が複雑で、部品数が多いため、製造し難く、製造コストが高いという問題点があった。のみならず、洗剤が洗濯水に溶解され投入される状態を使用者が目視することもできなかった。
【０００６】
本発明は上記の問題点を解決するためのもので、その目的は、洗剤供給装置を有し、且つ、製造が容易で、製造コストが低いドラム洗濯機を提供することにある。
【０００７】
本発明の他の目的は、洗剤が投入状態を使用者が目視できるようにし、使用者に視覚的な満足感を与えることができるドラム洗濯機を提供することにある。
【課題を解決するための手段】
【０００８】
上記目的を達成するために、本発明に係るドラム洗濯機は、開口を有する本体と、前記本体の開口を開閉し、前記本体内部を目視できるようにする透視部材を備えたドアと、前記ドアの透視部材に形成された洗剤収容部と、を備えることを特徴とする。
【０００９】
また、本発明は、前記透視部材と前記洗剤収容部が一体に形成されたことを特徴とする。
【００１０】
また、本発明は、前記本体内部に設置され、洗濯水を収容する水槽と、前記水槽の内部に設置され、洗濯物を収容する回転ドラムと、前記洗剤収容部に洗濯水を供給する給水装置と、をさらに備え、前記洗剤収容部は、その内部に供給された洗濯水を前記回転ドラム内に導く出口を有することを特徴とする。
【００１１】
また、前記洗剤収容部は、上部が開放されたことを特徴とする。
【００１２】
また、本発明は、前記出口側に流れる洗濯水の排出を遅らせるように前記洗剤収容部内に設けられた流れ遅延突起をさらに備えることを特徴とする。
【００１３】
また、前記洗剤収容部の出口に設けられたこし網をさらに備え、該こし網は着脱自在に装着されたことを特徴とする。
【００１４】
また、他の様態に係るドラム洗濯機は、本体の開口を開閉するドアの内側面に洗剤収容部が備えられたことを特徴とする。
【発明の効果】
【００１５】
本発明によるドラム洗濯機は、洗剤収容部がドアの内側透視部材に一体形成されるので、製造が容易でかつ製造コストが節減できるという効果が得られる。
【００１６】
また、本発明は、洗剤投入時に使用者はドアを開いて洗剤収容部に洗剤を入れるだけで済むので、洗剤を容易に投入できるという効果が得られる。
【００１７】
また、本発明は、洗剤収容部がドアの透視部材と一体に形成されるので、給水時に洗剤が投入される状態を使用者が目視でき、使用者に視覚的な満足感を与えることができる。
【００１８】
また、本発明によれば、溶解された洗剤と洗濯水が、ドアの洗剤収容部から回転ドラム中の洗濯物上に直接落下するので、洗剤の溶解されている水に洗濯物が迅速に濡れ、洗濯効果を高めることが可能になる。
【発明を実施するための最良の形態】
【００１９】
以下、本発明に係るドラム洗濯機の好適な実施形態を、添付の図面を参照しつつ詳細に説明する。図面中、同一の構成要素には可能な限り同一の参照符号を付し、重複説明は省くものとする。
【００２０】
本発明によるドラム洗濯機は、図１に示すように、本体１０の内部に設置され、洗濯水が収容されるドラム型の水槽１１と、水槽１１の内部に回転自在に設置される回転ドラム１２と、を備える。
【００２１】
本体１０の前面には、回転ドラム１２内に洗濯物を投入するための開口１３が穿設され、該開口１３を開閉するドア３０が取り付けられる。水槽１１の上部には、水槽１１中に洗濯水を供給するための給水管１４ａと給水制御弁１４ｂを有する給水装置が設置され、水槽１１の下部には、水槽１１の水を排出するための排水管１５ａと排水ポンプ１５ｂを有する排水装置が設置される。
【００２２】
回転ドラム１２は、前面に穿設された開口１２ａ、周面に穿設された多数の通穴１２ｂ、及び内面に設置され、回転ドラム１２の回転時に洗濯物を上昇及び落下させる複数のリフター１２ｃを備える。このような回転ドラム１２は、後面中心部に連結された回転軸１６によって支持され、回転軸１６は、水槽１１の後面部を貫いて後方に延在し、水槽１２の後面部に設置された軸受け１７によって回転自在に支持される。
【００２３】
水槽１１の後面には、回転軸１６を回転させる駆動モーター２０が設置される。この駆動モーター２０は、水槽１１の後面部に固定される固定子２１、固定子２１の外側に回転自在に配置される回転子２２、回転子２２が回転自在に支持されるように外周部が回転子２２と結合され、中心が回転軸１６に結合される支持板２３を備える。この駆動モーター２０は、洗濯物の洗いを行うべく回転ドラム１２を低速に正回転または逆回転させ、洗濯物の脱水を行うべく回転ドラム１２を高速に回転させる。
【００２４】
水槽１１の前面には、本体１０の開口１３の位置と対応する位置に開口１１ａが穿設される。また、水槽１１の開口１１ａと本体１０の開口１３との間には弾性を有する蛇腹管形態の連結部材１８が連結される。連結部材１８は、水槽１１の開口１１ａと本体１０の開口１３との間から洗濯水が漏れることを防止する機能を担う。また、連結部材１８は弾性的に伸縮可能であり、よって、洗濯中に水槽１１から生じる震えや振動が本体１０に伝わるのを防止する役割も担う。
【００２５】
本体１０の開口１３を開閉するドアは、図１及び図２に示すように、本体１０の前面に回動自在に装着されるリング状のドアフレーム３１と、ドアフレーム３１に結合された外側透視部材３２及び内側透視部材３３とを備える。外側透視部材３２と内側透視部材３３は、洗濯動作中に使用者が本体１０の外部から回転ドラム１２の内部を目視できるように透明な材質からなる。
【００２６】
また、内側透視部材３３は、ドアフレーム３１から回転ドラム１２の開口１２ａに向かってドーム状に突出している。また、給水管１４ａの出口は、内側透視部材３３の上部に位置するように連結部材１８の上部と連結される。これは、給水され洗濯水がドーム状の内側透視部材３３を介して回転ドラム１２の内部に導かれるようにし、洗濯中に内側透視部材３３についた泡や異物が、給水される洗濯水によって落ちるようにすることによって内側透視部材３３が透明な状態を維持できるようにするためである。また、内側透視部材３３が回転ドラム１２の開口１２ａ側に突出しており、よって、洗濯中に回転ドラム１２内で激しく揺動する洗濯物が回転ドラム１２内から抜け出ることが防止される。
【００２７】
一方、内側透視部材３３の上部には、図１及び図２に示すように、所定の深さ及び開放された上面を有する洗剤収容部４０が形成されている。したがって、洗濯時に、使用者がドア３０を開いて洗剤収容部４０に洗剤を投入すると、洗剤収容部４０に投入された洗剤は、給水される水に溶解されて水槽１１中に供給されるようになる。このため、本発明のドラム洗濯機は、従来の洗剤投入装置を備える必要がないので構成の単純化が達成でき、また、洗剤投入時にはドア３０を開いて洗剤収容部４０に洗剤を入れるだけで済むので、洗剤の投入が容易となる。しかも、洗剤収容部４０及び内側透視部材３３が透明なため洗濯時における洗剤の投入状態を使用者が目視観察できる。
【００２８】
この理由から、内側透視部材３３は、ＰＭＭＡ（Poly Methyl Meta Acrylate）のようなアクリル樹脂を押出成形することによって製造する。そして、洗剤収容部４０は、内側透視部材３３を製造するに当たって内側透視部材３３と一体成形される。ＰＭＭＡは、優れた透明度及び高い耐熱性を有し、また、押出成形によって容易に製造できるため、洗剤収容部４０を有する内側透視部材３３を成形するのに適している。
【００２９】
洗剤収容部４０は、図２及び図３に示すように、内部に供給された洗濯水が回転ドラム１２の内部に排出されるように、回転ドラム１２の開口１２ａに隣接して形成された出口４１を備える。出口４１は、図１に示すように、洗濯水に溶解された洗剤が、回転ドラム１２中の洗濯物の上部に落下するように導くことによって、給水過程で洗濯物が洗剤の溶解されている洗濯水に濡れるようにし、洗濯効果を向上させることができる。
【００３０】
出口４１と隣接した位置の洗剤収容部４０の内側には、出口４１側に流れる洗濯水の排出を遅らせるように底面から上方に突出する所定幅の流れ遅延突起４２が設けられる。
【００３１】
流れ遅延突起４２は、図３に示すように、洗剤収容部４０に供給された洗濯水が、流れ遅延突起４２の両側に迂回して出口４１側に流れるように、出口４１の幅Ｗ１よりも広い幅Ｗ２で形成される。この流れ遅延突起４２は、洗剤収容部４０に供給された洗濯水の排出を遅らせ、洗剤の溶解効果を高める役割を果たす。また、流れ遅延突起４２は、使用者がドア３０を開いて洗剤収容部４０に洗剤を投入する際に、図３に示すように、洗剤を流れ遅延突起４２の内側に投入できるようにし、粉末形態の洗剤が出口４１側に流れることを防止する役割も担う。
【００３２】
図４及び図５は、本発明の第２の実施形態による洗剤収容部を示す図である。図示のように、洗剤収容部４０の出口４１側に着脱自在にこし網５０が設置されている。こし網５０は、図５に示すように、出口４１の内側を包囲する半円形状のもので、洗剤収容部４０の内面に装着可能なように、両端に結合レールら５１がそれぞれ設けられる。また、出口４１両側の洗剤収容部４０の内面には、こし網５０の結合レール５１との結合のために結合溝５２がそれぞれ形成される。
【００３３】
このような構成によれば、洗剤収容部４０内に粉末形態の洗剤を投入する際に、洗剤がこし網５０にかかるので、出口４１側への洗剤の放出を防止することが可能になる。また、給水時には、洗濯水に溶解された洗剤のみがこし網５０を通って水槽１１に供給され、溶解されなかった洗剤の粒子はろ過される。また、こし網５０に異物が詰まり洗濯水の流れが円滑でない場合には、こし網５０を取り外して洗浄することができる。
【図面の簡単な説明】
【００３４】
【図１】本発明によるドラム洗濯機を示す断面図である。
【図２】本発明の第１の実施形態によるドラム洗濯機における洗剤収容部を示す斜視図である。
【図３】図２に示すドラム洗濯機における洗剤収容部を示す平面図である。
【図４】本発明の第２の実施形態によるドラム洗濯機における洗剤収容部を示す斜視図である。
【図５】図４に示すドラム洗濯機における洗剤収容部を示す分解斜視図である。
【符号の説明】
【００３５】
１０    本体
１１    水槽
１２    回転ドラム
１４a    給水管
１４b    給水制御弁
１６    回転軸
１８    連結部材
２０    駆動モーター
３０    ドア
３１    ドアフレーム
３２    外側透視部材
３３    内側透視部材
４０    洗剤収容部
４１    出口
４２    流れ遅延突起
５０    こし網
【図２】
2007029708.tif 000003
【図３】
2007029708.tif 000004
【図４】
2007029708.tif 000005
【図５】
2007029708.tif 000006
【図１】
2007029708.tif 000007